(57)【要約】【課題】緊急車両のサイレン，踏切の警報音，防災無線放送のチャイム及び他車のクラクション等の警報音を検出する警報音検出装置において、装置構成が簡易であると共に設置時におけるマイクと警報音検出装置との配線作業が不要であり、遮音性が良く更にはカーステレオ等を聴いている自動車の車内においても確実に認識することができる、警報音検出システムを得る。【解決手段】車外に設置され車外の警報音を入力して音響処理を行うと共に前記音響処理にて得られた音響信号を車内の警報音検出装置に無線送信する手段を備えた警報音入力装置と、車内に設置され１つ以上の警報音入力装置より無線送信された音響信号を受信して解析処理を行い、警報音を特定して運転者に通知する手段を備えた警報音検出装置にて構成する。【選択図】        図１
0003125200.tif 000002
【実用新案登録請求の範囲】
【請求項１】
車外に設置され車外の警報音を入力して音響処理を行うと共に前記音響処理にて得られた音響信号を車内の警報音検出装置に無線送信する手段を備えた警報音入力装置と、車内に設置され１つ以上の警報音入力装置より無線送信された音響信号を受信して解析処理を行い、警報音を特定して運転者に通知する手段を備えた警報音検出装置にて構成することを特徴とする、警報音検出システム。
【請求項２】
上記警報音入力装置は、警報音を入力するマイクと、前記マイクから出力される信号の増幅制御を行う音響入力回路と、特定の警報音を選択するバンドパスフィルタと、前記音響入力回路及びバンドパスフィルタによる音響処理にて得られた音響信号をＡ／Ｄ変換して車内の警報音検出装置に無線送信すると共に前記警報音検出装置よりコマンド信号を受信してバンドパスフィルタの切替制御を行うＡ／Ｄ入力機能付きＲＦＩＤタグと、回路電源を生成する電源回路にて構成し、上記警報音検出装置は、１つ以上の警報音入力装置より無線送信された音響信号を受信するリーダーと、警報音の種類を特定する基準音響データとプログラムデータとを蓄積するメモリと、前記入力音響信号と基準音響データとを比較して警報音の種類を特定すると共に通知モードに適合した検出信号の出力を行うＣＰＵと、前記検出信号に応じた音声通知を行う音声出力回路と、設定された通知モードをＣＰＵに伝送する入力インターフェース回路と、回路電源を生成する電源回路にて構成することを特徴とする、請求項１に記載の警報音検出システム。
【請求項３】
上記警報音入力装置は、警報音を入力するマイクと、前記マイクから出力される信号の増幅制御を行う音響入力回路と、特定の警報音を選択するバンドパスフィルタと、前記音響入力回路及びバンドパスフィルタによる音響処理にて得られた音響信号を車内の警報音検出装置に無線送信するＲＦ送信機と、前記警報音検出装置よりコマンド信号を受信してバンドパスフィルタの切替制御を行うＲＦＩＤタグ及び当該ＲＦＩＤタグの制御を行うロジック回路と、回路電源を生成する電源回路にて構成し、上記警報音検出装置は、１つ以上の警報音入力装置より無線送信された音響信号を受信したり、前記警報音入力装置内のバンドパスフィルタの切替制御を行うコマンド信号を送信するＲＦ送受信機と、プログラムデータを蓄積するメモリと、前記音響信号受信時において警報音入力装置内のバンドパスフィルタの切替制御を行うコマンド信号の送信制御を行うＣＰＵと、回路電源を生成する電源回路にて構成することを特徴とする、請求項１に記載の警報音検出システム。
【請求項４】
通知モードを、音声合成によるアナウンス発声、又は音声合成による擬似音発生、又は入力音響信号の直接出力の何れかに設定できることを特徴とした、請求項２に記載の警報音検出システム。
【考案の詳細な説明】
【技術分野】
【０００１】
本考案は、自動車を運転する際において緊急車両のサイレン，踏切の警報音，防災無線放送のチャイム及び他車のクラクション等の警報音を、遮音性が高く更にはカーステレオ等を聴いている自動車の車内においても確実に認識することができる、警報音検出システムに関するものである。
【背景技術】
【０００２】
近年、自動車の遮音性が向上し、車外の騒音が殆ど気にならなくなってきている。このような自動車を運転する際においてパトカー・消防車・救急車等の緊急車両のサイレン，踏切の警報音，防災無線放送のチャイム及び他車のクラクション等の警報音に気付かないことがあり、特にカーステレオ等を聴きながら運転している場合には全く気付かないことがあり、事故を招く危険性があった。
【０００３】
上記問題を解決すべく、例えば特開平０６−０４４４８９号公報の『緊急車両検知装置』では、複数のマイクより車外音を一定周期で入力し、サイレンと認識した場合に連続入力し、バンドパスフィルタを経由して緊急車両の種別を特定したり方位演算部を経由して方位を示すための緊急車両認識信号を出力することができる装置について記載されている。また、特開平０６−１９４２１８号公報の『音響認識装置』では、マイクより車外音を入力し、得られた音響信号を分析してサイレンやクラクション等の音響かどうかを識別し、前記サイレンやクラクション等の音響であると認識した場合にはカーステレオ等の車載用音響再生装置の出力を減衰させることができる装置について記載されている。また、特開２０００−１２７７９６号公報の『車内警報装置及び車内警報方法』では、指向性を有する複数のマイクを車外に設置し、サイレンやクラクション等の音の発生と音の発生方向をハンドル内に設けたランプの点灯やハンドル自体の振動により運転者に知らせることができる装置について記載されている。
【０００４】
【特許文献１】特開平０６−０４４４８９
【特許文献２】特開平０６−１９４２１８
【特許文献３】特開２０００−１２７７９６
【考案の開示】
【考案が解決しようとする課題】
【０００５】
しかしながら、上記特開平０６−０４４４８９号公報に記載のものは、緊急車両の接近方向を検出するため複数のマイクが必要であり、プリアンプやバンドパスフィルタ等の音響処理回路が前記マイクの数量分必要となり、ハード及びソフト共に装置が複雑化してしまうという問題点があった。また、上記特開平０６−１９４２１８号公報に記載のものは、警報音を検出した場合にカーステレオ等の車載用音響再生装置の出力を減衰させる機能しかなく、近年の遮音性が高い自動車では警報音の種類を認識するのが難しいという問題点があった。また、上記特開２０００−１２７７９６号公報に記載のものは、前記特開平０６−０４４４８９号公報のものと同様に複数のマイクや音響処理回路が必要であり、更にはハンドル内にランプや振動装置を設ける必要があり、ハード及びソフト共に装置が複雑化してしまうという問題点があった。
【０００６】
また、上記何れの公報を始めとした従来の警報音検出装置は、マイクと警報音検出装置との信号伝送手段として信号ケーブルを使用しており、後日警報音検出装置を自動車に設置する場合、前記信号ケーブルの配線作業が必要となり、作業が非常に面倒であると共に高額な工賃が掛かってしまうという問題点があった。
【０００７】
本考案は、上記問題点を解決するために成されたものであり、緊急車両のサイレン，踏切の警報音，防災無線放送のチャイム及び他車のクラクション等の警報音を検出する警報音検出装置において、装置構成が簡易であると共に設置時におけるマイクと警報音検出装置との配線作業が不要であり、遮音性が高く更にはカーステレオ等を聴いている自動車の車内においても確実に認識することができる、警報音検出システムを提供することを目的とする。
【課題を解決するための手段】
【０００８】
上記問題点を解決するため、本考案の警報音検出システムは、車外に設置され車外の警報音を入力して音響処理を行うと共に前記音響処理にて得られた音響信号を車内の警報音検出装置に無線送信する手段を備えた警報音入力装置と、車内に設置され１つ以上の警報音入力装置より無線送信された音響信号を受信して解析処理を行い、警報音を特定して運転者に通知する手段を備えた警報音検出装置にて構成する。
【０００９】
上記警報音入力装置における第一実施例にあっては、警報音を入力するマイクと、前記マイクから出力される信号の増幅制御を行う音響入力回路と、特定の警報音を選択するバンドパスフィルタと、前記音響入力回路及びバンドパスフィルタによる音響処理にて得られた音響信号をＡ／Ｄ変換して車内の警報音検出装置に無線送信すると共に前記警報音検出装置よりコマンド信号を受信してバンドパスフィルタの切替制御を行うＡ／Ｄ入力機能付きＲＦＩＤタグと、回路電源を生成する電源回路にて構成する。
【００１０】
上記警報音入力装置における第二実施例にあっては、警報音を入力するマイクと、前記マイクから出力される信号の増幅制御を行う音響入力回路と、特定の警報音を選択するバンドパスフィルタと、前記音響入力回路及びバンドパスフィルタによる音響処理にて得られた音響信号を車内の警報音検出装置に無線送信するＲＦ送信機と、前記警報音検出装置よりコマンド信号を受信してバンドパスフィルタの切替制御を行うＲＦＩＤタグ及び当該ＲＦＩＤタグの制御を行うＣＰＵと、回路電源を生成する電源回路にて構成する。
【００１１】
上記警報音検出装置における第一実施例にあっては、１つ以上の警報音入力装置より無線送信された音響信号を受信するリーダーと、警報音の種類を特定する基準音響データとプログラムデータとを蓄積するメモリと、前記入力音響信号と基準音響データとを比較して警報音の種類を特定すると共に通知モードに適合した検出信号の出力を行うＣＰＵと、前記検出信号に応じた音声通知を行う音声出力回路と、設定された通知モードをＣＰＵに伝送する入力インターフェース回路と、回路電源を生成する電源回路にて構成する。
【００１２】
上記警報音検出装置における第二実施例にあっては、１つ以上の警報音入力装置より無線送信された音響信号を受信したり、前記警報音入力装置内のバンドパスフィルタの切替制御を行うコマンド信号を送信するＲＦ送受信機と、プログラムデータを蓄積するメモリと、前記音響信号受信時において警報音入力装置内のバンドパスフィルタの切替制御を行うコマンド信号の送信制御を行うＣＰＵと、回路電源を生成する電源回路にて構成する。
【考案の効果】
【００１３】
本考案の警報音検出システムによれば、装置構成が簡易であると共に設置時におけるマイクと警報音検出装置との配線作業が不要であり、遮音性が高く更にはカーステレオ等を聴いている自動車の車内においても警報音の種類を確実に認識することができるという絶大なる効果を奏する。
【考案を実施するための最良の形態】
【００１４】
本考案を実施するための最良の形態を図を用いて説明する。
【００１５】
図１は本考案の警報音検出システムの第一実施例によるシステム構成図であり、車外に設置される警報音入力装置１にあっては、車外の警報音を入力して音響処理を行い、該音響処理にて得られた音響信号を車内の警報音検出装置１０に無線送信する機能を有し、車内に設置される警報音検出装置１０にあっては、１つ以上の警報音入力装置１より無線送信された音響信号を入力して解析処理を行い、警報音を特定して運転者に通知する機能を有する。
【００１６】
上記警報音入力装置１は、警報音を入力するマイク２と、前記マイク２から出力される信号の増幅制御を行う音響入力回路３と、特定の警報音を選択するバンドパスフィルタ４と、前記音響入力回路３及びバンドパスフィルタ４による音響処理にて得られた音響信号をＡ／Ｄ変換して車内の警報音検出装置１０に無線送信すると共に前記警報音検出装置１０よりコマンド信号を受信してバンドパスフィルタ４の切替制御を行うＡ／Ｄ入力機能付きＲＦＩＤタグ５と、回路電源を生成する電源回路６にて構成する。前記バンドパスフィルタ４は、パトカー・消防車・救急車等の緊急車両のサイレン，踏切の警報音，防災無線放送のチャイム及び他車のクラクション等の周波数特性が異なるパターンを有した警報音の種類毎に分けて構成される。
【００１７】
また、警報音入力装置１は車外に設置されるため、回路電源の供給源として太陽電池７を使用する。日中は前記太陽電池７にて発電された電源を電源回路６に供給して回路電源を生成すると共に充電用コンデンサ８に充電を行い、夜間での使用も可能にする。なお、前記充電用コンデンサ８に代え、充電用バッテリーを使用しても構わない。また、警報音入力装置１の設置場所は、フロントガラス３４又はリアガラス３５の車外面において、運転者の視界を遮らない位置、例えば左右何れかの下部が好適である。
【００１８】
上記警報音検出装置１０は、１つ以上の警報音入力装置１より無線送信された音響信号を受信するリーダー１１と、警報音の種類を特定する基準音響データとプログラムデータとを蓄積するメモリ１５と、前記入力音響信号と基準音響データとを比較して警報音の種類を特定すると共に通知モードに適合した検出信号の出力を行うＣＰＵ１２と、前記検出信号に応じた音声通知を行う音声出力回路１３と、設定された通知モードをＣＰＵ１２に伝送する入力インターフェース回路１４と、回路電源を生成する電源回路１８にて構成する。なお、前記通知モードとは、警報音の種類を特定した後、
〔１〕音声合成によるアナウンス発声‥‥例．「救急車が接近しています」
〔２〕音声合成による擬似音発生‥‥例．「ピーポーピーポー」
〔３〕入力音響信号の直接出力
の様な幾つかの通知形態を指し、入力インターフェース回路１４に接続されたモードスイッチ１７にて設定が行える。
【００１９】
また、警報音検出装置１０は車内に設置されるため、回路電源の供給源として電源端子２１より車載バッテリーの電源を接続する。又は、上記警報音入力装置１と同様に太陽電池１９を使用すれば、電源の配線作業が不要となり装置の設置が容易となる。この場合、日中は前記太陽電池１９にて発電された電源を電源回路１８に供給して回路電源を生成すると共に充電用コンデンサ２０に充電を行い、夜間での使用も可能にする。なお、前記充電用コンデンサ２０に代え、充電用バッテリーを使用しても構わない。また、警報音検出装置１０の設置場所は、電源として車載バッテリーを使用する場合は警報音入力装置１との無線通信が行える範囲内において車内の任意の場所で構わないが、太陽電池１９を使用する場合はフロントガラス３４又はリアガラス３５の車内面において、運転者の視界を遮らない位置、例えば左右何れかの下部が好適である。また、サンルーフのある車両ではルーフガラスの車内面に設置しても構わない。
【００２０】
次に、図２は図１におけるＡ／Ｄ入力機能付きＲＦＩＤタグの回路ブロック図であり、Ａ／Ｄ入力機能付きＲＦＩＤタグ５は、警報音検出装置１０内のリーダー１１からの読出し信号に応答し、マイク２にて入力した警報音を音響入力回路３及びバンドパスフィルタ４にて音響処理した音響信号をＡ／Ｄ変換するＡ／Ｄ変換回路３２と、前記Ａ／Ｄ変換回路３２にて得られたデジタル音響信号と当該Ａ／Ｄ入力機能付きＲＦＩＤタグ５固有のＩＤデータの伝送処理を行うＲＦ回路と、前記ＲＦ回路にアンテナ９を接続して構成する。
【００２１】
上記アンテナ９はリーダー１１と電磁界又は電磁波による無線通信を行うため、Ａ／Ｄ入力機能付きＲＦＩＤタグ５内又は一部Ａ／Ｄ入力機能付きＲＦＩＤタグ５外の同調キャパシタ（図示せず）から成る同調回路２３に接続し、本考案の警報音検出システムで使用するキャリア周波数、例えば１３．５６ＭＨｚや２．４５ＧＨｚ又は９５２ＭＨｚ帯等に同調させて共振回路を構成する。
【００２２】
上記同調回路２３の後段には、リーダー１１のアンテナ２２から出力された電磁界又は電磁波が当該Ａ／Ｄ入力機能付きＲＦＩＤタグ５のアンテナ９を通過した時に発生する誘導起電力の電圧波形を検波したり、該誘導起電力を半波又は全波整流して直流電圧を取り出すための整流回路２４を接続する。
【００２３】
次に、上記整流回路２４の後段には、検波したキャリアを分周してシステム用のクロックを生成するためのクロック生成回路２５と、信号受信時においてキャリアから信号を取り出す復調動作を行ったり信号送信時においてスイッチング素子（図示せず）により変調動作を行うための変復調回路２６と、上記直流電圧を安定化して回路電源を供給したり、充電用コンデンサ２８に充電電圧を供給するための電源回路２７を接続する。該充電用コンデンサ２８は一般的にはセラミックコンデンサであり、電力を必要とする場合には電気二重層コンデンサが好適であるが、特に限定するものではない。
【００２４】
次に、上記変復調回路２６の後段には、該変復調回路２６の制御や不揮発性メモリであるＦＲＡＭ（Ferroelectric RAM：米国Ramtron社の登録商標）３０に対する当該Ａ／Ｄ入力機能付きＲＦＩＤタグ５のＩＤデータや音響処理にて得られたデジタル音響信号等の書込み又は読出し制御及びＡ／Ｄ変換回路３２の制御を行うためのロジック回路２９を接続する。
【００２５】
上記ＦＲＡＭ３０は強誘電体型の不揮発性メモリであり、回路電源がＯＦＦになっても当該Ａ／Ｄ入力機能付きＲＦＩＤタグ５のＩＤデータ等は消失することはない。また、データの書込み電圧は、ＥＥＰＲＯＭやフラッシュメモリのように高圧に昇圧する必要がないため、昇圧回路が簡略化される。また、書込み又は読出し速度はＤＲＡＭと同等であり、ＥＥＰＲＯＭやフラッシュメモリよりはるかに高速であるという特徴を持つものである。このように、不揮発性メモリとしてはＦＲＡＭ３０が好適であるが、他のメモリを使用しても構わない。
【００２６】
また、図６は本考案の警報音検出システムの第二実施例によるシステム構成図であり、車外に設置される警報音入力装置１にあっては、車外の警報音を入力して音響処理を行い、該音響処理にて得られた音響信号を車内の警報音検出装置１０に無線送信する機能を有し、車内に設置される警報音検出装置１０にあっては、１つ以上の警報音入力装置１より無線送信された音響信号を入力して解析処理を行い、警報音を特定して運転者に通知する機能を有する。
【００２７】
上記警報音入力装置１は、警報音を入力するマイク２と、前記マイク２から出力される信号の増幅制御を行う音響入力回路３と、特定の警報音を選択するバンドパスフィルタ４と、前記音響入力回路３及びバンドパスフィルタ４による音響処理にて得られた音響信号を車内の警報音検出装置１０に無線送信するＲＦ送信機３７と、前記警報音検出装置１０よりコマンド信号を受信してバンドパスフィルタ４の切替制御を行うＲＦＩＤタグ３８及び当該ＲＦＩＤタグ３８の制御を行うＣＰＵ３９と、回路電源を生成する電源回路６にて構成する。前記バンドパスフィルタ４は、パトカー・消防車・救急車等の緊急車両のサイレン，踏切の警報音，防災無線放送のチャイム及び他車のクラクション等の周波数特性が異なるパターンを有した警報音の種類毎に分けて構成される。
【００２８】
また、警報音入力装置１は車外に設置されるため、回路電源の供給源として太陽電池７を使用する。日中は前記太陽電池７にて発電された電源を電源回路６に供給して回路電源を生成すると共に充電用コンデンサ８に充電を行い、夜間での使用も可能にする。なお、前記充電用コンデンサ８に代え、充電用バッテリーを使用しても構わない。また、警報音入力装置１の設置場所は、第一実施例と同様である。
【００２９】
上記警報音検出装置１０は、１つ以上の警報音入力装置１より無線送信された音響信号を受信したり、前記警報音入力装置１内のバンドパスフィルタ４の切替制御を行うコマンド信号を送信するＲＦ送受信機４１と、プログラムデータを蓄積するメモリ１５と、前記音響信号受信時において警報音入力装置１内のバンドパスフィルタ４の切替制御を行うコマンド信号の送信制御を行うＣＰＵ１２と、回路電源を生成する電源回路１８にて構成する。
【００３０】
また、警報音検出装置１０は車内に設置されるため、回路電源の供給源として電源端子２１より車載バッテリーの電源を接続する。又は、上記警報音入力装置１と同様に太陽電池１９を使用すれば、電源の配線作業が不要となり装置の設置が容易となる。この場合、日中は前記太陽電池１９にて発電された電源を電源回路１８に供給して回路電源を生成すると共に充電用コンデンサ２０に充電を行い、夜間での使用も可能にする。なお、前記充電用コンデンサ２０に代え、充電用バッテリーを使用しても構わない。また、警報音検出装置１０の設置場所は、第一実施例と同様である。
【００３１】
なお、該第二実施例におけるＲＦＩＤタグ３８は、上記第一実施例で説明したＡ／Ｄ入力機能付きＲＦＩＤタグ５においてＡ／Ｄ変換回路３２を省略したものと同等である。
【実施例】
【００３２】
本考案の実施例を第一実施例に基づき図を用いて説明する。
【００３３】
図３は本考案の警報音入力装置の外観模式図であり、合成樹脂製のケース内に、上述のマイク２，音響入力回路３，バンドパスフィルタ４，Ａ／Ｄ入力機能付きＲＦＩＤタグ５，電源回路６，充電用コンデンサ８及びアンテナ９を収容し、更に太陽電池７を接続して警報音入力装置１を構成する。
【００３４】
また、図４は本考案の警報音検出装置の外観模式図であり、合成樹脂製のケース内に、上述のリーダー１１，ＣＰＵ１２，音声出力回路１３，入力インターフェース回路１４，メモリ１５，スピーカー１６，モードスイッチ１７，電源回路１８及び充電用コンデンサ２０を収容し、更にアンテナ２２と機種に応じて太陽電池１９を接続して警報音検出装置１０を構成する。
【００３５】
次に、図５は本考案の警報音検出システムを自動車に設置した一実施例であり、自動車３３のフロントガラス３４とリアガラス３５の車外面の下部に警報音入力装置１を各々設置し、車内中央付近の天井部に警報音検出装置１０を設置した状態を示している。なお、該実施例におけるＲＦＩＤ通信のキャリア周波数は、通信距離の長い２．４５ＧＨｚ又は９５２ＭＨｚ帯が好適であり、通信距離の短い１３．５６ＭＨｚでは警報音入力装置１と警報音検出装置１０とを近接して設置する必要がある。
【００３６】
ここで、本考案の警報音検出システムを動作状態にして自動車３３を運転している際において、例えば救急車が接近してきた場合、車外に設置した警報音入力装置１のマイク２によりサイレン音が入力される。該サイレン音は、音響入力回路３にて適正レベルに増幅され、バンドパスフィルタ４に入力される。前記バンドパスフィルタ４は、パトカー・消防車・救急車等の緊急車両のサイレン，踏切の警報音，防災無線放送のチャイム及び他車のクラクション等の周波数特性が異なるパターンを有した警報音の種類毎に分けられており、警報音検出装置１０からのコマンド信号に同期して選択された何れかのバンドバスフィルタ４を通過してＡ／Ｄ入力機能付きＲＦＩＤタグ５内のＡ／Ｄ変換回路３２に入力される。
【００３７】
車内にある警報音検出装置１０内のリーダー１１は、一定周期にて読出し信号を送信した後、上記警報音入力装置１内のＡ／Ｄ入力機能付きＲＦＩＤタグ５より当該Ａ／Ｄ入力機能付きＲＦＩＤタグ５の固有ＩＤデータとデジタル音響信号を受信し、入力音響信号としてメモリ１５に一時蓄積する。
【００３８】
上記入力音響信号は、ＣＰＵ１２により警報音の種類が予め判っている基準音響データと比較されて種類が特定される。また、入力インターフェース回路１４に接続されたモードスイッチ１７の設定状態が予め読込まれており、通知モードが決定されている。
【００３９】
ここで、警報音が救急車であると検出され、通知モードが音声合成によるアナウンス発声である場合には、音声出力回路１３よりスピーカー１６にて例えば「救急車が接近しています」とアナウンスを発声し、運転者は前記アナウンスを聞くことにより救急車の接近を知ることになる。また、通知モードが音声合成による擬似音発生である場合には、音声出力回路１３よりスピーカー１６にて例えば「ピーポーピーポー」と擬似音を発生し、運転者は前記擬似音を聞くことにより救急車の接近を知ることになる。また、通知モードが入力音響信号の直接出力である場合には、音声出力回路１３よりスピーカー１６にて音響信号を直接出力することにより実際の車外音を聞くことができる。
【００４０】
また、第二実施例においても機器の外形及び動作は第一実施例と略同様となる。図３で説明した警報音入力装置１は、合成樹脂製のケース内に、マイク２，音響入力回路３，バンドパスフィルタ４，ＲＦ送信機３７，ＲＦＩＤタグ３８，ＣＰＵ３９，電源回路６，充電用コンデンサ８及びアンテナ９，４０を収容し、更に太陽電池７を接続して構成する。また、図４で説明した警報音検出装置１０は、ＲＦ送受信機４１，バンドパスフィルタ４２，４３，ＣＰＵ１２，音声出力回路１３，メモリ１５，スピーカー１６，電源回路１８及び充電用コンデンサ２０を収容し、更にアンテナ４４と機種に応じて太陽電池１９を接続して構成する。
【００４１】
ここで、本考案の警報音検出システムを動作状態にして自動車３３を運転している際において、例えば救急車が接近してきた場合、車外に設置した警報音入力装置１のマイク２によりサイレン音が入力される。該サイレン音は、音響入力回路３にて適正レベルに増幅され、バンドパスフィルタ４に入力される。前記バンドパスフィルタ４は、パトカー・消防車・救急車等の緊急車両のサイレン，踏切の警報音，防災無線放送のチャイム及び他車のクラクション等の周波数特性が異なるパターンを有した警報音の種類毎に分けられており、警報音検出装置１０からのコマンド信号に同期して選択された何れかのバンドバスフィルタ４を通過してＲＦ送信機３７に入力される。
【００４２】
車内にある警報音検出装置１０内のＲＦ送受信機４１は、上記ＲＦ送信機３７より送信される音響信号を受信し、音声出力回路１３よりスピーカー１６にて音響信号を直接出力することにより実際の車外音を聞くことができる。なお、上記コマンド信号は、バンドパスフィルタ４３を通過して波形成形された信号にて警報音の種類をＣＰＵ１２にて特定し、警報音入力装置１内のバンドパスフィルタ４の切替制御を行うべくＲＦ送受信機４１より送信される。
【００４３】
なお、上記第一実施例及び第二実施例の何れにおいて、警報音検出装置１０から警報音入力装置１への音響信号読出し動作は、ＣＰＵ１２にて間欠制御を行うことにより警報音入力装置１の電力消費が少なくなり、長時間の使用が可能になる。
【００４４】
以上のように、遮音性が高く更にはカーステレオ等を聴いている自動車３３の車内において、パトカー・消防車・救急車等の緊急車両のサイレン，踏切の警報音，防災無線放送のチャイム及び他車のクラクション等の警報音を確実に認識することができることになる。また、装置構成が簡易であると共に設置時におけるマイクと警報音検出装置との配線作業が不要となる。
【産業上の利用可能性】
【００４５】
また、第一実施例におけるＡ／Ｄ入力機能付きＲＦＩＤタグ５又は第二実施例におけるＲＦＩＤタグ３８内のＦＲＡＭ３０に、当該自動車のメンテナンス情報を記憶させ、サービス向上に利用することができる。この場合、前記ＦＲＡＭ３０に、例えば各種オイルの交換日／点検日，バッテリーの交換日／点検日，タイヤの交換日／点検日，空気圧の点検日等を記憶させておき、ガソリンスタンドで給油している間に、店員が所持するリーダー機能付のハンディターミナル３６にて警報音入力装置１より前記情報の読出し／書込みを行うことにより実施可能となる。
【図面の簡単な説明】
【００４６】
【図１】本考案の警報音検出システムの第一実施例によるシステム構成図である。
【図２】図１におけるＡ／Ｄ入力機能付きＲＦＩＤタグの回路ブロック図である。
【図３】本考案の警報音入力装置の外観模式図である。
【図４】本考案の警報音検出装置の外観模式図である。
【図５】本考案の警報音検出システムを自動車に設置した一実施例である。
【図６】本考案の警報音検出システムの第二実施例によるシステム構成図である。
【符号の説明】
【００４７】
１  警報音入力装置
２  マイク
３  音響入力回路
４  バンドパスフィルタ
５  Ａ／Ｄ入力機能付きＲＦＩＤタグ
６  電源回路
７  太陽電池
８  充電用コンデンサ
９  アンテナ
１０  警報音検出装置
１１  リーダー
１２  ＣＰＵ
１３  音声出力回路
１４  入力インターフェース回路
１５  メモリ
１６  スピーカー
１７  モードスイッチ
１８  電源回路
１９  太陽電池
２０  充電用コンデンサ
２１  電源端子
２２  アンテナ
２３  同調回路
２４  整流回路
２５  クロック生成回路
２６  変復調回路
２７  電源回路
２８  充電用コンデンサ
２９  ロジック回路
３０  ＦＲＡＭ
３１  信号端子
３２  Ａ／Ｄ変換回路
３３  自動車
３４  フロントガラス
３５  リアガラス
３６  ハンディターミナル
３７  ＲＦ送信機
３８  ＲＦＩＤタグ
３９  ＣＰＵ
４０  アンテナ
４１  ＲＦ送受信機
４２  バンドパスフィルタ
４３  バンドパスフィルタ
４４  アンテナ
【図１】
0003125200.tif 000003
【図２】
0003125200.tif 000004
【図３】
0003125200.tif 000005
【図４】
0003125200.tif 000006
【図５】
0003125200.tif 000007
【図６】
0003125200.tif 000008